(57)【要約】      （修正有）【課題】取り扱い性の良い拡散防止用のフードを提供する。【解決手段】拡散防止用のフード１は、本体フレーム２と、本体フレーム２に被せられるカバー３と、を有し、本体フレーム２の内部に、カバー３で囲まれた隔離空間Ｓが形成される。本体フレーム２は、フレーム２０と、フレーム２０の中心線Ｘ回りに回動可能に支持された第１可動フレーム２１および第２可動フレーム２２と、第１可動フレーム２１と第２可動フレーム２２とに跨がって設けられたステーと、を有している。ステーは、中心線Ｘ回りの周方向における第１可動フレーム２１と第２可動フレーム２２との相対回転を、設定された位相差の範囲内で許容すると共に、所定の位相差で保持可能である。【選択図】図１
0003229084.tif 000002
【実用新案登録請求の範囲】
【請求項１】
本体フレームと、
前記本体フレームに被せられるカバーと、を有し、
前記本体フレームの内部に、前記カバーで囲まれた隔離空間が形成される拡散防止用のフードであって、
前記本体フレームは、
フレームと、
前記フレームの長手方向の一端側で、前記フレームの長手方向に沿う中心線回りに回動可能に支持された第１可動フレームおよび第２可動フレームと、
前記第１可動フレームと前記第２可動フレームとに跨がって設けられたステーと、を有しており、
前記第１可動フレームおよび前記第２可動フレームは、
前記中心線の径方向に延びるサイドフレーム部と、
前記中心線に沿う向きで設けられていると共に、前記サイドフレーム部から前記フレームの他端側まで延びるロアフレーム部と、をそれぞれ有しており、
前記ステーは、
前記中心線回りの周方向における前記第１可動フレームと前記第２可動フレームとの相対回転を、設定された位相差の範囲内で許容すると共に、
前記第１可動フレームと前記第２可動フレームを所定の位相差で保持可能である、拡散防止用のフード。
【請求項２】
請求項１に記載の拡散防止用のフードにおいて、
前記サイドフレーム部は、前記ロアフレーム部よりも外径側に、前記フレームの他端側に向けて延びるエンドフレーム部を有しており、
前記エンドフレーム部は、前記中心線の径方向で前記ロアフレーム部との間に間隔をあけて設けられている、拡散防止用のフード。
【請求項３】
請求項１または請求項２に記載の拡散防止用のフードにおいて、
前記中心線方向から見て前記カバーは、前記フレームを一方側から他方側に横切る向きで、前記フレームに被せて設けられていると共に、
前記中心線方向から見て、前記カバーにおける前記一方側は、前記第１可動フレームの前記ロアフレーム部に係止されていると共に、他方側は、前記第２可動フレームの前記ロアフレーム部に係止されており、
前記カバーでは、前記フレームと前記第１可動フレームの前記ロアフレーム部との間の領域と、前記フレームと前記第２可動フレームの前記ロアフレーム部との間の領域のうちの少なくとも一方に、前記隔離空間へのアクセスを可能にするスリットが設けられている、拡散防止用のフード。
【請求項４】
請求項１または請求項２に記載の拡散防止用のフードにおいて、
前記カバーは、隣接する２辺が閉じられた矩形形状の袋体であり、
前記カバーは、前記隣接する２辺のうちの一方を前記フレームに係止させると共に、前記隣接する２辺のうちの他方を前記フレームの前記一端側に配置させた状態で、前記本体フレームに被せられており、
前記カバーには、前記隔離空間へのアクセスを可能にするスリットが設けられている、拡散防止用のフード。
【請求項５】
請求項３または請求項４に記載の拡散防止用のフードにおいて、
前記本体フレームに被せられた前記カバーを内外に貫通する筒状部品の保持具が、前記本体フレームに設けられている、拡散防止用のフード。
【請求項６】
請求項１から請求項５の何れか一項に記載の拡散防止用のフードにおいて、
前記第１可動フレームの前記サイドフレーム部と、前記第２可動フレームの前記サイドフレーム部は、前記中心線方向に間隔をあけて設けられており、
前記中心線の径方向から見て前記ステーは、前記第１可動フレームの前記サイドフレーム部と、前記第２可動フレームの前記サイドフレーム部との間に配置されている、拡散防止用のフード。
【考案の詳細な説明】
【技術分野】
【０００１】
本発明は、拡散防止用のフードに関する。
【背景技術】
【０００２】
特許文献１には、組み立て式の拡散防止用のフード装置が開示されている。
【先行技術文献】
【特許文献】
【０００３】
【特許文献１】特開２００４−３４４３２０号公報
【考案の概要】
【考案が解決しようとする課題】
【０００４】
この拡散防止用のフード装置は、感染症患者などの隔離に用いられて、伝染性ウイルスなどの拡散を防止する。
この種の拡散防止用のフードには、取り扱い性の良さが求められる。
【課題を解決するための手段】
【０００５】
本発明は、
本体フレームと、
前記本体フレームに被せられるカバーと、を有し、
前記本体フレームの内部に、前記カバーで囲まれた隔離空間が形成される拡散防止用のフードであって、
前記本体フレームは、
フレームと、
前記フレームの長手方向の一端側で、前記フレームの長手方向に沿う中心線回りに回動可能に支持された第１可動フレームおよび第２可動フレームと、
前記第１可動フレームと前記第２可動フレームとに跨がって設けられたステーと、を有しており、
前記第１可動フレームおよび前記第２可動フレームは、
前記中心線の径方向に延びるサイドフレーム部と、
前記中心線に沿う向きで設けられていると共に、前記サイドフレーム部から前記フレームの他端側まで延びるロアフレーム部と、をそれぞれ有しており、
前記ステーは、
前記中心線回りの周方向における前記第１可動フレームと前記第２可動フレームとの相対回転を、設定された位相差の範囲内で許容すると共に、
前記第１可動フレームと前記第２可動フレームを所定の位相差で保持可能である。
【考案の効果】
【０００６】
本考案によれば、取り扱い性の良い拡散防止用のフードが提供される。
【図面の簡単な説明】
【０００７】
【図１】拡散防止用のフードを説明する図である。
【図２】拡散防止用のフードの本体フレームの斜視図である。
【図３】フレームを説明する図である。
【図４】第１可動フレームを説明する図である。
【図５】ステーを説明する図である。
【図６】本体フレームの使用状態を説明する図である。
【図７】カバーを説明する図である。
【考案を実施するための形態】
【０００８】
以下、本発明の実施形態を説明する。
図１の（ａ）は、拡散防止用のフード１の斜視図である。図１の（ｂ）は、拡散防止用のフード１の使用状態を説明する図である。
図２は、拡散防止用のフード１の本体フレーム２の斜視図である。
図３の（ａ）は、フレーム２０の側面図である。図３の（ｂ）は、フレーム２０の基端２００ｂ側を分解して示す断面図であって、フレーム２０に外挿される第１可動フレーム２１と第２可動フレーム２２を仮想線で示した図である。
【０００９】
図１に示すように、拡散防止用のフード１は、本体フレーム２と、本体フレーム２に被せられるカバー３と、を有する。本体フレーム２の内側のカバー３で囲まれた空間が、外部から隔離された隔離空間Ｓとなっている。
図２に示すように、本体フレーム２は、棒状のフレーム２０と、フレーム２０で回動可能に支持された第１可動フレーム２１および第２可動フレーム２２と、第１可動フレーム２１と第２可動フレーム２２とに跨がって設けられたステー２３と、を有する。
【００１０】
図３に示すように、フレーム２０は、円筒状の本体部２００を有している。本体部２００は、ステンレス製のパイプである。本体部２００の長手方向の一端である先端２００ａには、エンドキャップＣＰが取り付けられている。エンドキャップＣＰは、本体部２００の先端２００ａの開口を封止すると共に、先端２００ａを保護する樹脂製のキャップである。
【００１１】
本体部２００の長手方向の他端である基端２００ｂは、封止されている。この封止された基端２００ｂには、ネジ孔２００ｃが形成されている。ネジ孔２００ｃには、ノブ２０２の軸部２０３が螺入している。
本体部２００の基端２００ｂ側には、本体部２００よりも大径のストッパ部２０１が形成されている。
【００１２】
本体部２００では、ストッパ部２０１と基端２００ｂとの間の領域が、第１可動フレーム２１の連結部２１０と、第２可動フレーム２２の連結部２２０が外挿される領域（外挿領域）となっている。
この外挿領域に、連結部２２０、２１０を外挿したのち、本体部２００の基端２００ｂに、ノブ２０２の軸部２０３を螺入して、連結部２２０、２１０を、ストッパ部２０１と軸部２０３に外挿されたワッシャＷとの間に把持させる。これにより、連結部２２０、２１０の本体部２００からの脱落が規制された状態で、第１可動フレーム２１と第２可動フレーム２２が、フレーム２０で回動可能に保持される。
【００１３】
図４の（ａ）は、第１可動フレーム２１の側面図である。図４の（ｂ）は、第１可動フレーム２１の正面図である。図４の（ａ）では、フレーム２０とステー２３とサイドフレーム部２２１を仮想線で示している。図４の（ｂ）は、図４の（ａ）におけるＡ−Ａ矢視方向から第１可動フレーム２１を見た図に相当する。図４の（ｂ）では、ステー２３を仮想線で示している。
【００１４】
第１可動フレーム２１は、連結部２１０と、サイドフレーム部２１１と、エンドフレーム部２１２と、ロアフレーム部２１３と、を有する。
連結部２１０は、ステンレス製の筒状部材であり、フレーム２０の本体部２００の基端２００ｂ側に外挿される。
本体部２００に外挿された連結部２１０は、本体部２００と同心に配置される。この状態において、連結部２１０は、フレーム２０の長手方向に沿う中心線Ｘ（中心軸）回りに回動可能である。
【００１５】
連結部２１０の外周には、サイドフレーム部２１１の基端２１１ａが溶接されている。
サイドフレーム部２１１とエンドフレーム部２１２は、湾曲成形された一本の筒状パイプある。
筒状パイプは、湾曲点Ｐから見た基端２１１ａ側が、連結部２１０に直交する向きで設けられたサイドフレーム部２１１であり、先端２１２ａ側が、フレーム２０に沿う向きで設けられたエンドフレーム部２１２である。
【００１６】
サイドフレーム部２１１は、中心線Ｘの径方向に所定長さＬ１で形成されている。
エンドフレーム部２１２の先端２１２ａには、樹脂製のエンドキャップＣＰが取り付けられている。エンドキャップＣＰは、エンドフレーム部２１２の先端２１２ａの開口を封止すると共に、先端２１２ａを保護する樹脂製のキャップである。
【００１７】
エンドキャップＣＰを含むエンドフレーム部２１２の長さは、先端２１２ａに取り付けられたエンドキャップＣＰが、フレーム２０のエンドキャップＣＰの外径側（図４の（ａ）における下側）に位置する長さＬ２である。本実施形態では、サイドフレーム部２１１の長さＬ１の方が、エンドフレーム部２１２の長さＬ２よりも長い（Ｌ１＞Ｌ２）。
【００１８】
ロアフレーム部２１３は、エンドフレーム部２１２から見てフレーム２０側（図４の（ａ）における上側）で、エンドフレーム部２１２に対して略並行に設けられている。
ロアフレーム部２１３の先端には、樹脂製のエンドキャップＣＰが取り付けられている。
ロアフレーム部２１３の基端は、サイドフレーム部２１１に外挿された接続部２１４の外周に溶接されている。
エンドキャップＣＰを含むロアフレーム部２１３の長さは、エンドフレーム部２１２と略同じ長さＬ２である。ロアフレーム部２１３の先端に取り付けられたエンドキャップＣＰは、フレーム２０のエンドキャップＣＰの外径側に位置している。
【００１９】
ロアフレーム部２１３は、エンドフレーム部２１２との間に間隔Ｗ１を開けて設けられている。
間隔Ｗ１は、例えば本体フレーム２がベッドに設置される場合には、ベッドのマットレスＭＴ（図１の（ｂ）参照）の厚みに設定される。
ロアフレーム部２１３とエンドフレーム部２１２との間にマットレスを挟み込んだ状態で、本体フレーム２をベッドに設置すると、ベッドにおける本体フレーム２の安定性が向上する。さらにベッドにおける所望の位置に、本体フレーム２が位置決めされる。
【００２０】
図４の（ａ）に示すように、本実施形態では、ロアフレーム部２１３を支持する接続部２１４が、サイドフレーム部２１１の外周に溶接されて位置決めされている。
なお、接続部２１４を、サイドフレーム部２１１の長手方向（図４の（ａ）における上下方向）に移動可能とし、例えばネジなどにより位置決めできるようにしても良い。
【００２１】
サイドフレーム部２１１では、連結部２１０の近傍に、ガイドパイプ２１５が設けられている。ガイドパイプ２１５は、ステンレス製の筒状部材である。
図４の（ｂ）に示すように、ガイドパイプ２１５は、サイドフレーム部２１１から側方に延びるプレート２１６の先端に溶接されている。
側面視において、ガイドパイプ２１５は、中心線Ｘに沿う向きで設けられている。ガイドパイプ２１５は、サイドフレーム部２１１を、中心線Ｘ方向における一方側から他方側に跨がる範囲に設けられている。
【００２２】
拡散防止用のフード１の使用時には、図１に示すように、樹脂性のホース４が、ガイドパイプ２１５を中心線Ｘ方向における一方側から他方側に挿通して配置される。
ホース４の先端は、本体フレーム２に被せられたカバー３の内側（隔離空間Ｓ内）に位置している。ホース４は、カバー３を貫通して、カバー３の外部に引き出されており、図示しないコンプレッサに接続されている。
コンプレッサが駆動されると、カバー３内（隔離空間Ｓ内）の空気が、ホース４を介してコンプレッサ側に吸引されて、カバー３内の空間が負圧に保たれるようになっている。
【００２３】
図３に示すように、本体フレーム２のフレーム２０では、第１可動フレーム２１の連結部２１０に隣接する位置で、第２可動フレーム２２の連結部２２０がフレーム２０に外挿されている。
図２に示すように第２可動フレーム２２は、連結部２２０と、サイドフレーム部２２１と、エンドフレーム部２２２と、ロアフレーム部２２３と、を有する。
【００２４】
本体部２００に外挿された連結部２２０は、本体部２００と同心に配置される。この状態において、連結部２２０は、フレーム２０の長手方向に沿う中心線Ｘ（中心軸）回りに回動可能である。
【００２５】
連結部２２０の外周には、サイドフレーム部２２１の基端が溶接されている。サイドフレーム部２２１は、中心線Ｘの径方向に所定長さＬ１で形成されている。
エンドキャップＣＰを含むエンドフレーム部２２２の長さは、先端に取り付けられたエンドキャップＣＰが、フレーム２０のエンドキャップＣＰの外径側に位置する長さＬ２’で形成されている。本実施形態では、サイドフレーム部２２１の長さＬ１の方が、エンドフレーム部２２２の長さＬ２’よりも長い（Ｌ１＞Ｌ２’）。
【００２６】
なお、長さＬ２’は、第１可動フレーム２１のエンドフレーム部２１２の長さＬ２（図４参照）よりも僅かに短くなっていることが好ましい（Ｌ２＞Ｌ２’）。
第１可動フレーム２１と第２可動フレーム２２をフレーム２０に外挿した状態で、第１可動フレーム２１側のエンドフレーム部２１２のエンドキャップＣＰの位置と、第２可動フレーム２２側のエンドフレーム部２２２のエンドキャップＣＰの位置とが、揃うようにするためである。
【００２７】
ロアフレーム部２２３は、エンドフレーム部２２２から見てフレーム２０側（図２における上側）で、エンドフレーム部２２２に対して略並行に設けられている。
ロアフレーム部２２３の先端には、樹脂製のエンドキャップＣＰが取り付けられている。ロアフレーム部２２３の基端は、サイドフレーム部２２１に外挿された接続部２２４の外周に溶接されている。
エンドキャップＣＰを含むロアフレーム部２２３の長さは、エンドフレーム部２２２と同じ長さＬ２’である。ロアフレーム部２２３は、エンドフレーム部２２２との間に間隔Ｗ１を開けて設けられている。
【００２８】
第２可動フレーム２２は、ガイドパイプ２１５を備えていないという点において、第１可動フレーム２１と相違しており、他の点は、第１可動フレーム２１と同一の構成を有している。
【００２９】
第１可動フレーム２１と第２可動フレーム２２は、ステー２３を介して、互いに連結されている。
第１可動フレーム２１では、ガイドパイプ２１５とロアフレーム部２１３との間の領域に、ステー２３の連結片２４２が固定されている。
第２可動フレーム２２では、連結部２２０とロアフレーム部２２３との間の領域に、ステー２３の連結片２５２が固定されている。
【００３０】
図５の（ａ）は、ステー２３が、ロック位置に配置された状態を示す図である。図５の（ｂ）は、ステー２３の第１プレート２４を説明する図である。図５の（ｃ）は、ステー２３の第２プレート２５を説明する図である。図５の（ｄ）は、（ｃ）におけるＡ−Ａ断面図である。図５の（ｅ）は、（ｃ）におけるＢ−Ｂ矢視方向から第２プレート２５を見た図である。図５の（ｆ）は、ステー２３が、折畳位置に配置された状態を示す図である。
【００３１】
図５の（ａ）に示すように、ステー２３は、第１プレート２４と、第２プレート２５と、を有している。
図５の（ｂ）に示すように、第１プレート２４は、板状の基部２４０を有している。正面視において基部２４０では、長手方向における一端側の連結部２４０ａに、連結片２４２が、連結ピン２４３を介して取り付けられている。正面視において連結片２４２は、略矩形形状を成している。連結片２４２は、基部２４０の厚み方向に沿う回動軸Ｘａ１回りに回動可能である。
【００３２】
基部２４０の長手方向における他端２４０ｂ側では、基部２４０の中心線Ｌ２４を間に挟んだ一方側と他方側に、それぞれ、連結部２４１と凹部２４５が設けられている。
中心線Ｌ２４は、回動軸Ｘａ１と直交すると共に、基部２４０の幅方向の中心を通って、回動軸Ｘａ１の径方向に延びる直線である。
正面視において連結部２４１は円形を成しており、中央部に、挿通孔２４１ａが形成されている。
連結部２４１と基部２４０は、回動軸Ｘａ１方向に位置をずらして設けられている。図５の（ｂ）において連結部２４１は、基部２４０よりも紙面手前側に位置している。
【００３３】
基部２４０の他端２４０ｂは、円形を成す連結部２４１の半径線Ｌ２４１に沿う直線状に形成されている。
基部２４０の他端２４０ｂ側は、連結部２４１の半径線Ｌ２４１方向に膨出した膨出部２４０ｃとなっている。基部２４０における膨出部２４０ｃの部分は、中心線Ｌ２４に直交する方向の幅が広くなっている。
【００３４】
膨出部２４０ｃでは、挿通孔２４１ａの径方向外側で、凹部２４５が第２プレート２５側に開口を向けて設けられている。
【００３５】
図５の（ｃ）に示すように、ステー２３の第２プレート２５は、板状の基部２５０を有している。正面視において基部２５０では、長手方向の一端側の連結部２５０ａに、連結片２５２が取り付けられている。連結部２５０ａでは、連結片２５２から延びるタブ２５４が、連結ピン２５３を介して回動可能に支持されている。
【００３６】
正面視において連結片２５２は、略矩形形状を成しており（図５の（ｄ）参照）、連結片２４２の長手方向（図５の（ｄ）における上下方向）における略中央部から、タブ２５４が、連結片２４２から離れる方向に延びている。タブ２５４は、連結片２４２に対して略直交する方向に折り曲げられている。
連結部２５０ａにおいて連結片２５２は、基部２５０の厚み方向に沿う回動軸Ｘａ２回りに回動可能である。
【００３７】
基部２５０の長手方向における他端２５０ｂ側では、基部２５０の中心線Ｌ２５を間に挟んだ一方側と他方側に、それぞれ、連結部２５１とスライダ２５５が設けられている。
中心線Ｌ２５は、回動軸Ｘａ２と直交すると共に、基部２５０の幅方向の中心を通って、回動軸Ｘａ２の径方向に延びる直線である。
正面視において連結部２５１は、円形を成しており、中央部に、挿通孔２５１ａが形成されている。
連結部２５１と基部２５０は、回動軸Ｘａ２方向に位置をずらして設けられている。図５の（ｃ）において連結部２５１は、基部２５０よりも紙面奥側に位置している。
【００３８】
基部２５０の他端２５０ｂは、円形を成す連結部２５１の半径線Ｌ２５１に沿う直線状に形成されている。
スライダ２５５は、基部２５０の長手方向に移動可能であり、図示しないスプリングの付勢力により、基部２５０の他端２５０ｂから、先端部２５５ａを突出させた位置に保持される。
スライダ２５５の側面には、ノブ２５６が設けられている（図５の（ｅ）参照）。ノブ２５６を操作することで、スライダ２５５を基部２５０の長手方向に移動させて、スライダ２５５の先端部２５５ａを、基部２５０の他端２５０ｂから出没させることができるようになっている。
【００３９】
ステー２３は、第１プレート２４と第２プレート２５を、互いの連結部２４１、２５１の挿通孔２４１ａ、２５１ａを重ね合わせて配置したのち、第１プレート２４と第２プレート２５を、挿通孔２４１ａ、２５１ａを貫通させた連結ピン２３１（図５の（ａ）参照）で連結して形成される。
この状態において第１プレート２４と第２プレート２５は、共通の回動軸Ｘａ回りに相対回転可能である。
【００４０】
本実施形態では、第１プレート２４と第２プレート２５とが、図５の（ａ）に示す位置に配置されると、図示しないスプリングで付勢されたスライダ２５５が、第１プレート２４側の凹部２４５に係合することで、第１プレート２４と第２プレート２５との回動軸Ｘａ回りの相対回転が規制されるようになっている。
この状態で、スライダ２５５を、第１プレート２４から離間させる方向に移動させると、スライダ２５５が凹部２４５から離脱することで、第１プレート２４と第２プレート２５との回動軸Ｘａ回りの相対回転が許容されるようになっている。
【００４１】
そのため、図５の（ｆ）に示すように、第１プレート２４側の連結片２４２と、第２プレート２５側の連結片２５２とが近接する位置まで。第１プレート２４と第２プレート２５とを回動軸Ｘａ周りに相対回転させることができる。
【００４２】
本実施形態では、このような構成のステー２３を用いて、中心線Ｘ周りの周方向における第１可動フレーム２１と第２可動フレーム２２との相対回転を、設定された位相差の範囲内で許容するようにしている（図６参照）。
【００４３】
図２に示すように、第１プレート２４の連結片２４２は、フレーム２０の中心線Ｘ方向の一方側からサイドフレーム部２１１の側面に当接している。
連結片２４２におけるサイドフレーム部２１１との接触部が、サイドフレーム部２１１に溶接されている。
【００４４】
第２プレート２５の連結片２５２は、中心線Ｘの径方向から、サイドフレーム部２１１の側面に当接している。連結片２５２におけるサイドフレーム部２１１との接触部が、サイドフレーム部２１１に溶接されている。
図４に示すように、サイドフレーム部２１１と、サイドフレーム部２２１は、中心線Ｘ方向に隙間を空けて設けられている。中心線Ｘの径方向から見て、ステー２３の第１プレート２４と第２プレート２５は、サイドフレーム部２１１とサイドフレーム部２２１との間に配置されている。
【００４５】
図６の（ａ）は、本体フレーム２の第１可動フレーム２１と第２可動フレーム２２が展開位置に配置された状態を示した図である。
図６の（ｂ）は、本体フレーム２の第１可動フレーム２１と第２可動フレーム２２が収納位置に配置された状態を示した図である。
【００４６】
前記したように、本体フレーム２の第１可動フレーム２１と第２可動フレーム２２は、共通の中心線Ｘ（回転軸）回りに回動可能である。
本体フレーム２の第１可動フレーム２１と第２可動フレーム２２とが、図６の（ａ）に示す展開位置に配置されると、第１可動フレーム２１と第２可動フレーム２２とに跨がって設けられたステー２３は、図５の（ａ）に示すロック位置に配置される。
【００４７】
ステー２３がロック位置に配置されると、第１プレート２４の凹部２４５に、第２プレート２５のスライダ２５５が係合して、第１プレート２４と第２プレート２５との回動軸Ｘａ周りの相対回転が規制される。
そのため、第１可動フレーム２１と第２可動フレーム２２は、ステー２３により、展開位置に保持される。
第１可動フレーム２１と第２可動フレーム２２が展開位置に配置されると、第１可動フレーム２１と第２可動フレーム２２は、中心線Ｘ周りの周方向の位相差θが最大となる角度範囲（θｍａｘ）で保持される。
【００４８】
この状態の本体フレーム２を中心線Ｘ方向から見ると、第１可動フレーム２１と第２可動フレーム２２が、フレーム２０を頂点とする二等辺三角形の隣接する２辺に相当する位置関係で配置される。
この状態において、第１可動フレーム２１のロアフレーム部２１３と、第２可動フレーム２２のロアフレーム部２２３とが互いに平行となる位置関係で配置されると共に、
第１可動フレーム２１のエンドフレーム部２１２と、第２可動フレーム２２のエンドフレーム部２２２とが互いに平行となる位置関係で配置される。
【００４９】
また、本体フレームが展開位置に配置されている状態で、ステー２３のノブ２５６を操作して、スライダ２５５を凹部２４５から離脱させると、ステー２３では、第１プレート２４と第２プレート２５との回動軸Ｘａ周りの相対回転が許容される。
この状態で、第１可動フレーム２１と第２可動フレーム２２との中心線Ｘ回りの周方向の位相差θが小さくなる方向に、第１可動フレーム２１と第２可動フレーム２２を相対回転させると、第１可動フレーム２１と第２可動フレーム２２が収納位置に配置される（図６の（ｂ）参照）。第１可動フレーム２１と第２可動フレーム２２が収納位置に配置されると、第１可動フレーム２１と第２可動フレーム２２は、中心線Ｘ回りの周方向の位相差θが最小となる角度範囲（θｍｉｎ）に到達する。
【００５０】
図７の（ａ）は、カバー３の側面図であり、図７の（ｂ）は、カバー３の斜視図である。
カバー３は、平面視において矩形形状を成しており、可撓性を持つ樹脂材料で形成されている。この種の樹脂材料として、ポリエチレンなどの安価な樹脂材料が例示できる。
【００５１】
カバー３は、重ね合わせた２枚の樹脂性のシート３０、３０の隣接する２つの側縁３０１、３０２を、長手方向の全長に亘って接着して形成される。図７では、接着された領域に交差したハッチングを付して示している。
【００５２】
なお、カバー３は、以下のように形成しても良い。（ａ）一枚の帯状のシートを長手方向の途中位置で織り返す。（ｂ）折返し部分を間に挟んで隣接する２つの側縁のうちの１つの側縁同士を接着する。
【００５３】
このようにして形成したカバー３は、隣接する２つの側縁３０３、３０４が開口すると共に、隣接する２つの側縁３０１、３０２が閉じられており、略袋状に形成されている。
カバー３の側縁３０１、３０３の長さＬ３は、棒状のフレーム２０の中心線Ｘ方向の長さＬ２０（図３参照）よりも長くなっている（Ｌ３＞Ｌ２０）。
【００５４】
シート３０、３０には、スリット３１、３１が設けられている。スリット３１、３１は、カバー３の互いに平行な２つの側縁３０２、３０４に対して略平行に設けられている。
スリット３１、３１は、カバー３の幅方向の中心線Ｃ３よりも、側縁３０４側に位置している。なお、スリットは、シート３０、３０のうちの少なくとも一方に設けられていれば良い。
【００５５】
拡散防止用のフード１の本体フレーム２は、ベッドに取り付けて使用するにあたり、第１可動フレーム２１と第２可動フレーム２２が展開位置に配置される。そして、ベッドのマットレスＭＴが、ロアフレーム部２１３、２２３とエンドフレーム部２１２、２２２との間に挿入されるようにして、ベッドにセットされる（図１の（ｂ）、図６の（ａ）参照）。
【００５６】
図１に示すように、カバー３は、第１可動フレーム２１と第２可動フレーム２２を展開位置に配置した本体フレーム２に被せて使用される。
この際にカバー３は、閉じられた側縁３０２が、サイドフレーム部２１１、２２１側に位置する向きで本体フレーム２に被せられると共に、閉じられた側縁３０１がフレーム２０に掛け止められる。
さらに、側縁３０１の長手方向の略中央部分がフレーム２０に係止されて、側縁３０２側の領域と、側縁３０４側の領域が、それぞれフレーム２０の径方向に折り曲げて配置されるようにして、本体フレーム２に被せられる。
そして、カバー３は、フレーム２０と、第１可動フレーム２１のロアフレーム部２１３と、第２可動フレーム２２のロアフレーム部２２３に、クリップ５で固定される。
【００５７】
これにより、マットレスＭＴ上では、本体フレーム２の内部に、カバー３で囲まれた隔離空間Ｓが形成される。
そして、コンプレッサに接続されたホース４を、カバー３を貫通させたのち、ガイドパイプ２１５を挿通させる。これにより、隔離空間Ｓ内の所定位置にホース４が配置される。
これにより、隔離空間Ｓ内の隔離対象者から離れた所定位置にホース４が配置できる。また、コンプレッサを稼働させることで、隔離空間Ｓ内を減圧状態にすることができる。
なお、ホース４に代えて、ガイドパイプ２１５のほうがカバー３を貫通するようにしても良い。
【００５８】
中心線Ｘ方向から見てカバー３は、フレーム２０を一方側から他方側に横切る向きで、フレーム２０に被せてられている。
中心線Ｘ方向から見て、カバー３における一方側に位置するシート３０と他方側に位置するシート３０のうちの少なくとも一方には、スリット３１が設けられている。
カバー３では、シート３０におけるフレーム２０とロアフレーム部２１３との間の領域と、フレーム２０とロアフレーム部２２３との間の領域のうちの少なくとも一方に、隔離空間Ｓへのアクセスを可能にするスリット３１が設けられている。
【００５９】
そのため、隔離空間Ｓ内を減圧状態しておくことで、スリット３１、３１から隔離空間Ｓ内にアクセスする際に、隔離空間Ｓ内の空気が、スリット３１の部分から、フード１の周囲に漏れ出すことを好適に抑制できるようになっている。
【００６０】
フード１の使用後は、カバー３は、本体フレーム２から取り外されたのちに廃棄される。
ステー２３のノブ２５６（図５の（ｅ）参照）を操作して、第１プレート２４と第２プレート２５との回動軸Ｘａ周りの相対回転を許容したのち、本体フレーム２を、展開位置（図６の（ａ）参照）から収納位置（図６の（ｂ）参照）まで変形させる。
これにより、本体フレーム２を折り畳むことができるので、展開位置のままで収納する場合よりも、収納に要するスペースが小さくできる。
また、カバー３は、安価な樹脂材料で形成したものであるので、使い捨てできる。専用のカバーを使い回す場合には、洗浄処理などが必要になるが、カバー３を使い捨てにすることで、洗浄処理などの負担が軽減される。よって、取り扱い性の良い拡散防止用のフード１が提供される。
【００６１】
以上の通り、本実施形態にかかる拡散防止用のフード１は、以下の構成を有している。
（１）拡散防止用のフード１は、本体フレーム２と、本体フレーム２に被せられるカバー３と、を有し、本体フレーム２の内部に、カバー３で囲まれた隔離空間Ｓが形成される。
本体フレーム２は、
棒状のフレーム２０と、
フレーム２０の長手方向の基端２００ｂ側（一端側）で、フレーム２０の長手方向に沿う中心線Ｘ（中心軸）回りに回動可能に支持された第１可動フレーム２１および第２可動フレーム２２と、
第１可動フレーム２１と前記第２可動フレーム２２とに跨がって設けられたステー２３と、を有している。
第１可動フレーム２１および第２可動フレーム２２は、
中心線Ｘの径方向に延びるサイドフレーム部２１１、２２１と、
中心線Ｘに沿う向きで設けられていると共に、サイドフレーム部２１１、２２１からフレーム２０の先端２００ａ（他端側）まで延びるロアフレーム部２１３、２２３と、をそれぞれ有している。
ステー２３は、
中心線Ｘ回りの周方向における第１可動フレーム２１と第２可動フレーム２２との相対回転を、設定された位相差の範囲内で許容すると共に、
第１可動フレーム２１と第２可動フレーム２２を所定の位相差θｍａｘで保持可能である。
【００６２】
拡散防止用のフード１を使用する際には、第１可動フレーム２１と第２可動フレーム２２を、ステー２３により所定の位相差θｍａｘで保持した状態で、本体フレーム２にカバー３を被せることで、本体フレーム２の内部にカバー３で囲まれた隔離空間Ｓを形成できる。
拡散防止用のフード１の非使用時には、第１可動フレーム２１と第２可動フレーム２２を、設定された位相差の範囲内の最小の位相差θｍｉｎにすることで、本体フレーム２を畳むことができる。これにより、本体フレーム２の部分の容積を最小化できるので、本体フレーム２を畳むことができない場合に比べて、本体フレーム２の収納性が向上する。
これにより、取り扱い性の良い拡散防止用のフード１が提供される。
【００６３】
本実施形態にかかる拡散防止用のフード１は、以下の構成を有している。
（２）サイドフレーム部２１１、２２１は、ロアフレーム部２１３、２２３よりも外径側に、フレーム２０の先端２００ａ側に向けて延びるエンドフレーム部２１２、２２２を有している。
エンドフレーム部２１２、２２２は、中心線Ｘの径方向でロアフレーム部２１３、２２３との間に間隔Ｗ１をあけて設けられている。
【００６４】
このように構成すると、エンドフレーム部２１２、２２２とロアフレーム部２１３、２２３との間に、例えばベッドのマットレスＭＴのような固定側部材を挟み込むことで、本体フレーム２を、マットレスＭＴ（固定側部材）上で位置決めできる。
エンドフレーム部２１２、２２２とロアフレーム部２１３、２２３との間に、ベッドのマットレスＭＴを挟み込みことで、ベッドでの本体フレーム２の位置決めと固定を簡単に行える。
【００６５】
本実施形態にかかる拡散防止用のフード１は、以下の構成を有している。
（３）中心線Ｘ方向から見てカバー３は、フレーム２０を一方側から他方側に横切る向きで、フレーム２０に被せて設けられている。
中心線Ｘ方向から見て、カバー３における一方側に位置するシート３０は、第１可動フレーム２１のロアフレーム部２１３にクリップ５で係止されている。他方側に位置するシート３０は、第２可動フレーム２２のロアフレーム部２２３にクリップ５で係止されている。
カバー３では、シート３０におけるフレーム２０とロアフレーム部２１３との間の領域と、フレーム２０とロアフレーム部２２３との間の領域のうちの少なくとも一方に、隔離空間Ｓへのアクセスを可能にするスリット３１が設けられている。
【００６６】
このように構成すると、隔離空間Ｓの隔離状態を保持したままで、隔離空間Ｓ内へのアクセスと、隔離空間Ｓ内の隔離対象者への対処が可能になる。
【００６７】
本実施形態にかかる拡散防止用のフード１は、以下の構成を有している。
（４）カバー３は、隣接する２つの側縁３０１、３０２が閉じられた矩形形状の袋体である。カバー３は、可撓性を持つ樹脂材料で形成されている。
カバー３は、隣接する側縁３０１、３０２のうちの一方の側縁３０１をフレーム２０に係止させると共に、他方の側縁３０２をフレーム２０の基端２００ｂ側に配置させる向きで、本体フレーム２に被せられている。
カバー３には、隔離空間Ｓへのアクセスを可能にするスリット３１、３１が設けられている。
【００６８】
このように構成すると、隔離空間Ｓへのアクセスのために、カバー３の端をまくり上げる必要が無い。隔離空間Ｓの隔離状態を保持したままで、隔離空間Ｓ内へのアクセスと、隔離空間Ｓ内の隔離対象者への対処が可能になる。
カバー３は、可撓性を持つ樹脂材料で形成されているので、拡散防止用のフード１の使用前の段階では、折り畳んだ状態で提供できる。前記したように、本体フレーム２は、畳むことで容積を最小化できる。そのため、本体フレーム２を畳むことができない場合に比べて、使用前の段階における拡散防止用のフード１の取り扱い性が良いものとなる。
【００６９】
本実施形態にかかる拡散防止用のフード１は、以下の構成を有している。
（５）ホース４（筒状部品）の保持具であるガイドパイプ２１５が、本体フレーム２に設けられている。
ホース４は、本体フレーム２に被せられたカバー３を内外に貫通すると共に、隔離空間Ｓ内の空気を吸引する装置であるコンプレッサに接続されている。
ガイドパイプ２１５は、第１可動フレーム２１のサイドフレーム部２１１と、第２可動フレーム２２のサイドフレーム部２２１のうちの少なくとも一方に設けられている。
ガイドパイプ２１５は、ステー２３よりもフレーム２０寄りの位置に設けられている。
【００７０】
このように構成すると、コンプレッサを稼働させることで、隔離空間Ｓ内を減圧できる。また、ガイドパイプ２１５を用いてホース４を位置決めすることで、隔離空間Ｓ内の所定位置にホース４を位置決めできるので、ホース４が、隔離空間Ｓへのアクセスや、隔離空間Ｓ内の隔離対象者への措置に対して妨げとなることを好適に防止できる。
【００７１】
本実施形態にかかる拡散防止用のフード１は、以下の構成を有している。
（６）第１可動フレーム２１のサイドフレーム部２１１と、第２可動フレーム２２のサイドフレーム部２２１は、中心線Ｘ方向に間隔をあけて設けられており、
中心線Ｘの径方向から見てステー２３は、第１可動フレーム２１のサイドフレーム部２１１と、第２可動フレーム２２のサイドフレーム部２２１との間に配置されている。
【００７２】
本体フレーム２では、フレーム２０と、サイドフレーム部２１１、２２１と、ロアフレーム部２１３、２２３で囲まれた領域が隔離空間Ｓとなる。
中心線Ｘ方向におけるフレーム２０の基端２００ｂ側に、サイドフレーム部２１１、２２１と、ステー２３を配置することで、隔離空間Ｓの容積を最大限確保しつつ、本体フレーム２の第１可動フレーム２１と第２可動フレーム２２を展開位置に保持できる。
【００７３】
以上、本願発明の実施形態を説明したが、本願発明は、これら実施形態に示した態様のみに限定されるものではない。発明の技術的な思想の範囲内で、適宜変更可能である。
【符号の説明】
【００７４】
１：拡散防止用のフード
２：本体フレーム
２０：フレーム
２００    ：本体部
２０１    ：ストッパ部
２０２    ：ノブ
２１：第１可動フレーム
２１０    ：連結部
２１１    ：サイドフレーム部
２１２    ：エンドフレーム部
２１３    ：ロアフレーム部
２１４    ：接続部
２１５    ：ガイドパイプ
２１６    ：プレート
２２：第２可動フレーム
２２０    ：連結部
２２１    ：サイドフレーム部
２２２    ：エンドフレーム部
２２３    ：ロアフレーム部
２２４    ：接続部
２３：ステー
２３１    ：連結ピン
２４：第１プレー、
２４０    ：基部
２４１    ：連結部
２４２    ：連結片
２４３    ：連結ピン
２４５    ：凹部
２５：第２プレート
２５０    ：基部
２５１    ：連結部
２５２    ：連結片
２５３    ：連結ピン
２５４    ：タブ
２５５    ：スライダ
２５６    ：ノブ
３：カバー
３０      ：シート
３０１、３０２、３０３、３０４    ：側縁
３１      ：スリット
４：ホース
５：クリップ
ＣＰ      ：エンドキャップ
ＭＴ      ：マットレス
Ｐ        ：湾曲点
Ｓ        ：隔離空間
Ｘ        ：中心線
Ｘａ、Ｘａ１、Ｘａ２    ：回動軸
【図１】
0003229084.tif 000003
【図２】
0003229084.tif 000004
【図３】
0003229084.tif 000005
【図４】
0003229084.tif 000006
【図５】
0003229084.tif 000007
【図６】
0003229084.tif 000008
【図７】
0003229084.tif 000009